(57)【特許請求の範囲】
【請求項１】
液透過性の表面シート及び液保持性の吸収体を備え、前記吸収体に対して前記表面シートとは反対側に、液不透過性の裏面シート又は該裏面シート及び側部シートを備えた吸収性物品であって、
前記吸収性物品における、前記吸収体に対して前記表面シートとは反対側である裏面シート側に、側縁部に弾性部材を有するシート状部材が配設されており、
前記シート状部材は、前記弾性部材が配された側縁部以外の縁部で前記裏面シート及び／又は前記側部シートに固定されており、
吸収性物品の使用前において、前記弾性部材が配された前記側縁部は、吸収性物品における前記裏面シート側に位置している吸収性物品。
【請求項２】
液透過性の表面シート及び液保持性の吸収体を備え、前記吸収体に対して前記表面シートとは反対側に、液不透過性の裏面シート又は該裏面シート及び側部シートを備えた吸収性物品であって、
前記吸収性物品における、前記吸収体に対して前記表面シートとは反対側である裏面シート側に、側縁部に弾性部材を有する少なくとも２枚のシート状部材が配設されており、
２枚の前記シート状部材それぞれは、前記弾性部材が配された側縁部側を吸収性物品の幅方向中央側に向けて配されており、且つ該弾性部材が配された側縁部以外の縁部で前記裏面シート及び／又は前記側部シートに固定されており、
吸収性物品の使用前において、２枚の前記シート状部材それぞれにおける、前記弾性部材が配された側縁部は、吸収性物品における前記裏面シート側に位置している吸収性物品。
【請求項３】
前記２枚のシート状部材は、前記弾性部材が配された側縁部の長手方向の端部同士が重なっている請求項２記載の吸収性物品。
【請求項４】
液透過性の表面シート及び液保持性の吸収体を備え、前記吸収体に対して前記表面シートとは反対側に、液不透過性の裏面シート又は該裏面シート及び側部シートを備えた吸収性物品であって、
前記吸収性物品における、前記吸収体に対して前記表面シートとは反対側である裏面シート側に、側縁部に該側縁部の延在方向に伸縮する弾性部を有するシート状部材が配設されており、
前記シート状部材は、前記弾性部を有する側縁部以外の縁部で前記裏面シート及び／又は前記側部シートに固定されており、
吸収性物品の使用前において、前記弾性部を有する前記側縁部は、吸収性物品における前記裏面シート側に位置している吸収性物品。
【発明の詳細な説明】
【０００１】
【発明の属する技術分野】
本発明は、吸収性能の発現に適した形状に容易に変形させることができ、着用中に、その形状が安定に維持される吸収性物品に関する。
【０００２】
【従来の技術及び発明が解決しようとする課題】
近年、尿の処理に伴う経済的、労力的な負担の軽減を目的として、尿吸収用パッドを、使い捨ておむつや下着等と併用することが行われている。斯かる尿吸収用パッドは、着用中に、着用者の身体の形状に沿うように変形する。
しかし、その変形した形状は、必ずしも吸収性能の発現に適した形状ではなく、所望の吸収性能が得られない場合があった。また、弾性部材の収縮力により防漏壁を起立させたり物品自体を湾曲させたりすることによって、吸収性能等を向上させることも行われているが、着用中におけるその形状が安定に維持されず、所望の吸収性能が得られない場合があった。
【０００３】
従って、本発明は、吸収性能の発現に適した形状に容易に変形させることができ、着用中に、その形状が安定に維持される吸収性物品を提供することにある。
【０００４】
【課題を解決するための手段】
本発明は、液透過性の表面シート及び液保持性の吸収体を備え、前記吸収体に対して前記表面シートとは反対側に、液不透過性の裏面シート又は該裏面シート及び側部シートを備えた吸収性物品であって、前記吸収性物品における、前記吸収体に対して前記表面シートとは反対側である裏面シート側に、側縁部に弾性部材を有するシート状部材が配設されており、前記シート状部材は、前記弾性部材が配された側縁部以外の縁部で前記裏面シート及び／又は前記側部シートに固定されており、吸収性物品の使用前において、前記弾性部材が配された前記側縁部は、吸収性物品における前記裏面シート側に位置している吸収性物品を提供することにより、上記の目的を達成したものである（以下、第１発明というときは、この発明をいう）。
【０００５】
また、本発明は、液透過性の表面シート及び液保持性の吸収体を備え、前記吸収体に対して前記表面シートとは反対側に、液不透過性の裏面シート又は該裏面シート及び側部シートを備えた吸収性物品であって、前記吸収性物品における、前記吸収体に対して前記表面シートとは反対側である裏面シート側に、側縁部に弾性部材を有する少なくとも２枚のシート状部材が配設されており、２枚の前記シート状部材それぞれは、前記弾性部材が配された側縁部側を吸収性物品の幅方向中央側に向けて配されており、且つ該弾性部材が配された側縁部以外の縁部で前記裏面シート及び／又は前記側部シートに固定されており、吸収性物品の使用前において、２枚の前記シート状部材それぞれにおける、前記弾性部材が配された側縁部は、吸収性物品における前記裏面シート側に位置している吸収性物品を提供することにより、上記の目的を達成したものである（以下、第２発明というときは、この発明をいう）。
【０００６】
また、本発明は、液透過性の表面シート及び液保持性の吸収体を備え、前記吸収体に対して前記表面シートとは反対側に、液不透過性の裏面シート又は該裏面シート及び側部シートを備えた吸収性物品であって、前記吸収性物品における、前記吸収体に対して前記表面シートとは反対側である裏面シート側に、側縁部に該側縁部の延在方向に伸縮する弾性部を有するシート状部材が配設されており、前記シート状部材は、前記弾性部を有する側縁部以外の縁部で前記裏面シート及び／又は前記側部シートに固定されており、吸収性物品の使用前において、前記弾性部を有する前記側縁部は、吸収性物品における前記裏面シート側に位置している吸収性物品を提供することにより、前記の目的を達成したものである（以下、第３発明というときは、この発明をいう）。
【０００７】
【発明の実施の形態】
以下、本発明をその好ましい実施形態に基づいて詳細に説明する。
本発明の一実施形態としての尿吸収用パッド１は、図１及び図２に示すように、液透過性の表面シート２、液不透過性の裏面シート３及びこれら両シート２、３間に介在された液保持性の吸収体４を備え、実質的に縦長に形成されている。図１には、平面状に伸張させた状態の尿吸収用パッド１の裏面シート３側が示されている。
【０００８】
尿吸収用パッド１は長方形状であり、表面シート２がその外形を形成している。裏面シート３は、表面シート２よりも幅狭の長方形状であり、尿吸収用パッド１の幅方向中央部に長手方向の両端部間に亘るように配されている。
吸収体４は、表面シート２よりも長さ及び幅が若干小さい長方形状の外形を有し、表面シート２と裏面シート３とは、吸収体４の長手方向の両端縁よりも外方に延出する部分において互いに接合されている。吸収体４は、裏面シート３よりも幅広であり、裏面シート３の両側縁よりも外方に延出した部分は、その一面側を表面シート２に被覆される一方、他面側を側部シート５により被覆されている。表面シート２と側部シート５とは、吸収体４の長手方向の両側縁よりも外方に延出する部分において互いに接合されており、接合された両シート間には、側部ギャザー形成用の糸状の弾性体７が挟持固定されている。
【０００９】
尿吸収用パッド１の裏面シート３側には、側縁部６２に弾性部材６１を有する２枚のシート状部材６が、それぞれ、弾性部材６１が配された側縁部６２以外の縁部６３〜６５で固定されている。
詳細には、各シート状部材６は、弾性部材６２が配された側縁部６２（以下、内側縁部ともいう）、側縁部６２と相対向する側縁部６３（以下、外側縁部ともいう）、及び相対向する一対の端縁部６４，６５を有する長方形状の形状を有している。
各シート状部材６は、内側縁部６２側を、尿吸収用パッド１の幅方向中央側に向けて配されており、図１及び図２に示すように、内側縁部６２以外の縁部、即ち外側縁部６３及び一対の両端縁部６４，６５において、裏面シート３及び／又は側部シート５上に固定されている。尚、内側縁部６２以外の縁部の固定手段としては、接着剤、ヒートシール、超音波シール等の公知の接合手段を用いることができる。また、シート状部材６の固定されていない部位は、裏面シート３上から離間させることができる。
【００１０】
また、２枚のシート状部材６は、図３に示すように、弾性部材６１が配された側縁部６２の長手方向の端部６２ａ同士が重なっている。
【００１１】
本実施形態の尿吸収用パッド１は、表面シート２側に窪みが生じるように変形させ、その変形した形状を、表裏を反転させたシート状部材６により維持して用いられる。
図４は、男性の液排泄部（ペニス）を包囲して使用する男性用尿吸収用パッドとして用いる場合の使用方法を示す説明図である。
先ず、図４（ａ）に示すように、両シート状部材６の内側縁部６２を指で摘んで左右に引っ張り、両シート状部材６の内側縁部６２同士間を拡げる。それと同時に、表面シート２側から、尿吸収用パッド１の中央部を指で押圧し、該中央部を内側縁部６２，６２同士間に押し込む。
図４（ｂ）に示すように、パッド１の表面シート２側を大きく窪ませ、お椀状の形状とした後、シート状部材６から手を離す。この状態において、各シート状部材６は、表面６ａ側と裏面６ｂ側とが逆転した状態（表裏反転した状態）になっており、このシート状部材６の弾性部材６１の弾性収縮力及びシート状の形状によって、その変形した形状が安定に維持される。
そして、図４（ｃ）に示すように、この変形した状態のパッド１を、男性の液排泄部（ペニス）８に被せる。着用中には、この変形した状態が安定に維持される。
尚、図４（ｂ）には、パッド１の表面シート２側に生じた窪み内から、パッド１の四隅部分が出ている状態が示されているが、これらの四隅部分も窪みの内部に収納して用いることもできる。
【００１２】
本実施形態の尿吸収用パッド１によれば、吸収性能の発現に適した形状〔例えば、図４（ｂ）又は図４（ｃ）に示すような形状）に容易に変形させることができ、着用中に、その形状が安定に維持される。
そのため、優れた吸収性能が得られるのみならず、着用中の位置ズレも防止され、更に、男性の液排泄部８に直接手を触れずに装着できるという利点もある。特に、本実施形態においては、図３に示すように、２枚のシート状部材６の内側縁部６２の長手方向の端部同士が重なっているため、弾性部材が配された側縁部（内側縁部）６２同士間に押し込まれたパッド１の中央部がその周囲全体から押圧される。そのため、より深い窪みの形成が可能であり、着用中における変形形状の保形性にも一層優れている。
【００１３】
また、本実施形態における吸収体４は、図２に示すように、中央吸収体４１と、その両側のサイド吸収体４２，４２と、これらを被覆する液透過性の被覆シート４３とからなり、中央吸収体４１と両サイド吸収体４２の境界部が、吸収体４の折れ曲がり易さを向上させる可撓軸４４として機能する。吸収体４に可撓軸４４を設けることで、吸収体の変形自由度が増大し、より深い窪みを表面シート２側に形成させることができ、着用者への装着性や吸収性能等の一層の向上を図ることができる。斯かる可撓軸４４は、図２に示すように、シート状部材６の外側縁部６３と重なる部位に設けることが好ましい。尚、吸収体に可撓軸を形成する方法としては、本実施形態の方法に代えて、吸収体４にエンボス線を付与したり、吸収体４にスリットを形成する等の方法を用いることもできる。被覆シート４３は、紙又は不織布からなる液透過性のシートで、吸収体の表面を形成している。
【００１４】
また、本実施形態におけるシート状部材６の外側縁部６３は、図２に示すように、吸収体４の両側縁の位置よりも幅方向内方の位置に固定されている。これにより、パッド１を変形させる際に、該外側縁部６３より外方に位置する吸収体の一部を、該シート状部材６と共に立ち上がらせることができ、装着感や吸収性能の一層の向上を図ることができる。
着用者への装着性、装着感、吸収性能の何れか一以上を向上させる観点から、シート状部材６の外側縁部６３は、吸収体４に設けた可撓軸４４と重なる部位に固定されていることが好ましく、また、吸収体４に設けた可撓軸４４と重なる部位又は両サイド吸収体４２と重なる部位に、該可撓軸４４に沿って弾性部材９が配されていることが好ましい。また、図２では、弾性部材９は、サイド吸収体と表面シートとの間に配されているが、サイド吸収体と裏面シート又は側部シートとの間に配しても良い。
【００１５】
尚、本実施形態の尿吸収用パッド１は、図５に示す状態に変形させた段階において、その形状をシート状部材６により固定して用いることもできる。その場合には、例えば、表面シート２側の窪みを、男性又は女性の液排泄部に当てて使用する。
【００１６】
本実施形態の尿吸収用パッド１の形成材料について説明すると、表面シート２、裏面シート３、吸収体４としては、生理用ナプキン、使い捨ておむつ等の吸収性物品に従来用いられているものを特に制限なく用いることができる。
側部シート５としては、不織布、樹脂フィルム、織布、編布及びこれらの積層体等を用いることができ、不織布、特に親水性の不織布が好ましい。
シート状部材６を形成するシート材としては、不織布、樹脂フィルム、織布、編布及びこれらの積層体等を用いることができ、不織布、特に撥水性の不織布であることが好ましい。また、シート状部材６の弾性部材６１の素材としては、合成ゴム、天然ゴム、スパンデックス等を挙げることができ、弾性部材６１の形態としては、糸状の他、帯状、フィルム状等を挙げることができる。弾性部材７及び９としては、弾性部材６１と同様の素材及び形態のものを用いることができる。
【００１７】
本発明は、上述した実施形態に制限されず、本発明の趣旨を逸脱しない範囲内において種々変更可能である。
例えば、上述した実施形態においては、シート状部材６の内側縁部６２に複数本の弾性部材６１が配されており、これにより、側縁部６２に該側縁部６２の延在方向に伸縮する弾性部が形成されているが、第３発明においては、弾性部材を配する以外の方法で、シート状部材６の側縁部６２に該側縁部の延在方向に伸縮する弾性部を形成しても良い。例えばシート状部材の全体又は一部を弾性フィルムから構成しても良い。
【００１８】
また、第１〜第３発明におけるシート状部材６は、長方形状のものに限られず、三角形状、半円形状等の任意の形状とすることができる〔図６（ａ），（ｂ）参照〕。また、シート状部材６は、図６（ａ）〜（ｄ）に示すような態様で配設及び固定されていても良い。更に、第１及び第３発明においては、側縁部６２に弾性部材１１（又は弾性部）を有するシート状部材６は一枚のみであっても良い〔図６（ｅ）参照〕。
また、側縁部６２に弾性部材１１（又は弾性部）を有するシート状部材６は、該側縁部６２以外の縁部が全域に亘って固定されていることが好ましいが、一部に固定されていない部位があっても良い。
また、本発明の吸収性物品は、尿吸収用パッド（失禁パッドを含む）の他、生理用ナプキン、パンティーライナー、使い捨ておむつ等であっても良い。
【００１９】
【発明の効果】
本発明の吸収性物品は、吸収性能の発現に適した形状に容易に変形させることができ、着用中に、その形状が安定に維持されるものである。
【図面の簡単な説明】
【図１】図１は、本発明の一実施形態としての尿吸収用パッドを示す平面図である。
【図２】図２は、図１のＸ−Ｘ断面を示す模式断面図である。
【図３】図３は、図１に示す尿吸収用パッドの自然状態における裏面シート側を示す概略斜視図である。
【図４】図４は、図１に示す尿吸収用パッドの使用方法の一例を示す説明図である。
【図５】図５は、図１に示す尿吸収用パッドの他の使用方法を説明するための図で、図４（ａ）に示す状態の尿吸収用パッドの幅方向断面を示す模式断面図である。
【図６】図６は、本発明の他の実施形態を示す模式平面図である。
【符号の説明】
１    尿吸収用パッド（吸収性物品）
２    表面シート
３    裏面シート
４    吸収体
６    シート状部材
６１  弾性部材
６２  弾性部材が配された側縁部
６３  側縁部６２に相対向する側縁部
８    着用者の液排泄部
【図１】
0003818923.tif 000002
【図２】
0003818923.tif 000003
【図３】
0003818923.tif 000004
【図４】
0003818923.tif 000005
【図５】
0003818923.tif 000006
【図６】
0003818923.tif 000007